(57)【要約】【課題】視聴者の眼球を介した見え方に対応した画像を表示させる。【解決手段】実施形態の表示処理装置は、視聴者を認証する認証手段と、視聴者ごとに、その視聴者の眼球における見え方を示す眼球特性を記録した眼球特性情報から認証された視聴者の眼球特性を取得する眼球特性取得手段と、認証された視聴者と、画像を表示する表示部との間の視聴距離を取得する視聴距離取得手段と、取得された視聴距離と、認証された視聴者の眼球特性とをもとに、表示部に表示する画像について、認証された視聴者が視聴距離で見た際に劣化する分を補償する画像を生成する画像生成手段と、生成された画像を表示させる表示制御手段とを備える。【選択図】図２
2013104937.tif 000002
【特許請求の範囲】
【請求項１】
視聴者を認証する認証手段と、
視聴者ごとに、当該視聴者の眼球における見え方を示す眼球特性を記録した眼球特性情報から前記認証された視聴者の眼球特性を取得する眼球特性取得手段と、
前記認証された視聴者と、画像を表示する表示部との間の視聴距離を取得する視聴距離取得手段と、
前記取得された視聴距離と、前記認証された視聴者の眼球特性とをもとに、前記表示部に表示する画像について、前記認証された視聴者が前記視聴距離で見た際に当該視聴者の眼球特性によって劣化する分を補償する画像を生成する画像生成手段と、
前記生成された画像を前記表示部に表示させる表示制御手段と、
を備える表示処理装置。
【請求項２】
前記眼球特性は、前記視聴者の眼球による空間周波数特性であり、
前記眼球特性情報は、前記視聴者の眼球による空間周波数特性を視聴距離ごとに記録し、
前記画像生成手段は、前記取得された視聴距離に対応した前記視聴者の眼球による空間周波数特性をもとに、前記表示部に表示する画像から前記視聴者が視覚する画像を逆算して、前記視聴者の眼球特性によって劣化する分を補償する画像を生成する、
請求項１に記載の表示処理装置。
【請求項３】
前記視聴者からの操作を受け付ける操作手段を更に備え、
前記眼球特性取得手段は、視聴距離ごとに当該視聴距離における前記視聴者の眼球による空間周波数特性を計測するための画像を前記表示部に表示させ、当該画像の表示に応じて前記視聴者から受け付けられた操作をもとに、前記視聴者の眼球特性を取得する、
請求項２に記載の表示処理装置。
【請求項４】
前記表示部から前記視聴者を撮像するカメラを更に備え、
前記視聴距離取得手段は、前記カメラで撮像された前記視聴者の像をもとに前記視聴距離を取得する、
請求項１乃至３のいずれか一項に記載の表示処理装置。
【請求項５】
前記表示部から前記視聴者を撮像するカメラを更に備え、
前記認証手段は、前記カメラで撮像された前記視聴者の顔画像をもとに、視聴者ごとに、当該視聴者の顔画像を記録した視聴者情報を参照して前記認証を行う、
請求項１乃至３のいずれか一項に記載の表示処理装置。
【請求項６】
前記画像生成手段は、前記認証手段により複数の視聴者が認証された場合、眼球特性によって劣化する分を補償する効果係数を、認証されたすべての視聴者にわたって演算した際に最大とする画像を生成する、
請求項１乃至５のいずれか一項に記載の表示処理装置。
【請求項７】
表示処理装置の表示処理方法であって、
視聴者を認証する認証ステップと、
視聴者ごとに、当該視聴者の眼球における見え方を示す眼球特性を記録した眼球特性情報から前記認証された視聴者の眼球特性を取得する眼球特性取得ステップと、
前記認証された視聴者と、画像を表示する表示部との間の視聴距離を取得する視聴距離取得ステップと、
前記取得された視聴距離と、前記認証された視聴者の眼球特性とをもとに、前記表示部に表示する画像について、前記認証された視聴者が前記視聴距離で見た際に当該視聴者の眼球特性によって劣化する分を補償する画像を生成する画像生成ステップと、
前記生成された画像を前記表示部に表示させる表示制御ステップと、
を含む表示処理方法。
【発明の詳細な説明】
【技術分野】
【０００１】
本発明の実施形態は、表示処理装置及び表示処理方法に関する。
【背景技術】
【０００２】
従来、液晶テレビ等の表示装置おいては、視聴距離に基づいて表示する画像のピーキング周波数を切り替える表示処理を行うことで、視聴距離が変わることで生じる視覚特性の不整合をなくすものがある。
【先行技術文献】
【特許文献】
【０００３】
【特許文献１】特公平７−９３６９９号公報
【発明の概要】
【発明が解決しようとする課題】
【０００４】
ところで、視聴者の眼球を介した見え方を示す眼球特性は、視聴者ごとに視力が異なるように個人差がある。しかしながら、上述した従来技術においては、視聴者ごとに異なる眼球特性が考慮されておらず、視聴者ごとの眼球特性の違いによる不整合をなくすことができなかった。例えば、標準的な視力の視聴者が適正な画像と感じる場合であっても、近視の視聴者にはボケて見える場合があった。
【０００５】
本発明は、上記に鑑みてなされたものであって、視聴者の眼球を介した見え方に対応した画像を表示させることを可能とする表示処理装置及び表示処理方法を提供することを目的とする。
【課題を解決するための手段】
【０００６】
上述した課題を解決し、目的を達成するために、実施形態の表示処理装置は、視聴者を認証する認証手段と、視聴者ごとに、当該視聴者の眼球における見え方を示す眼球特性を記録した眼球特性情報から前記認証された視聴者の眼球特性を取得する眼球特性取得手段と、前記認証された視聴者と、画像を表示する表示部との間の視聴距離を取得する視聴距離取得手段と、前記取得された視聴距離と、前記認証された視聴者の眼球特性とをもとに、前記表示部に表示する画像について、前記認証された視聴者が前記視聴距離で見た際に当該視聴者の眼球特性によって劣化する分を補償する画像を生成する画像生成手段と、前記生成さえれた画像を前記表示部に表示させる表示制御手段と、を備える。
【０００７】
また、実施形態の表示処理方法は、表示処理装置の表示処理方法であって、視聴者を認証する認証ステップと、視聴者ごとに、当該視聴者の眼球における見え方を示す眼球特性を記録した眼球特性情報から前記認証された視聴者の眼球特性を取得する眼球特性取得ステップと、前記認証された視聴者と、画像を表示する表示部との間の視聴距離を取得する視聴距離取得ステップと、前記取得された視聴距離と、前記認証された視聴者の眼球特性とをもとに、前記表示部に表示する画像について、前記認証された視聴者が前記視聴距離で見た際に当該視聴者の眼球特性によって劣化する分を補償する画像を生成する画像生成ステップと、前記生成さえれた画像を前記表示部に表示させる表示制御ステップとを含む。
【図面の簡単な説明】
【０００８】
【図１】図１は、実施形態にかかる表示処理装置の一例であるデジタルテレビジョン放送受信装置の正面図である。
【図２】図２は、デジタルテレビジョン放送受信装置のハードウエア構成を例示するブロック図である。
【図３】図３は、リモートコントローラの外観を示す平面図である。
【図４】図４は、視聴者の眼球特性の検査にかかるデジタルテレビジョン放送受信装置の動作の一例を示すフローチャートである。
【図５】図５は、視聴者の眼球特性の検査を例示する概念図である。
【図６】図６は、表示部への表示にかかるデジタルテレビジョン放送受信装置の動作の一例を示すフローチャートである。
【図７】図７は、視聴者の見え方を例示する概念図である。
【発明を実施するための形態】
【０００９】
以下、添付図面を参照して実施形態の表示処理装置及び表示処理方法を詳細に説明する。なお、本実施形態では表示処理装置として一般的なデジタルテレビジョン放送受信装置を例示するが、液晶ディスプレイ等の表示部に画像を表示させる機器であれば、表示処理装置はハードディスクレコーダーやセットトップボックス等の機器であってもよいことは言うまでもないことである。
【００１０】
図１は、実施形態にかかる表示処理装置の一例であるデジタルテレビジョン放送受信装置１１の正面図である。なお、このデジタルテレビジョン放送受信装置１１（デジタルテレビジョン１１と称する）は、通常の平面視（２次元）表示用の映像信号に基づく映像表示を行なうだけでなく、立体視（３次元）表示用の映像信号に基づく映像表示を行うものであってもよい。
【００１１】
図１に示すように、デジタルテレビジョン１１の正面には、表示用の映像信号に基づく映像（画像）を表示する表示部２１と、表示部２１を視聴する視聴者を撮像するカメラ６０を備える。
【００１２】
図２は、デジタルテレビジョン１１のハードウエア構成を例示するブロック図である。  図２に示すように、デジタルテレビジョン１１は、アンテナ１２で受信したデジタルテレビジョン放送信号を、入力端子１３を介してチューナ部１４に供給することにより、所望のチャンネルの放送信号を選局することが可能になっている。
【００１３】
デジタルテレビジョン１１は、チューナ部１４で選局された放送信号を、復調復号部１５に供給してデジタルの映像信号及び音声信号等に復元した後、信号処理部１６に出力する。信号処理部１６は、復調復号部１５から供給されたデジタルの映像信号及び音声信号に対してそれぞれ所定のデジタル信号処理を施す。
【００１４】
なお、信号処理部１６が行なう所定のデジタル信号処理には、通常の平面視（２次元）表示用の映像信号を立体視（３次元）表示用の映像信号に変換する処理や、立体視表示用の映像信号を平面視表示用の映像信号に変換する処理等も含まれている。
【００１５】
また、信号処理部１６は、デジタルの映像信号を合成処理部１７に出力し、デジタルの音声信号を音声処理部１８に出力している。このうち、合成処理部１７は、信号処理部１６から供給されるデジタルの映像信号に、ＯＳＤ（on  screen  display）信号生成部１９で生成される字幕、ＧＵＩ（Graphical  User  Interface）、ＯＳＤなどの重畳用映像信号であるＯＳＤ信号を重畳して出力している。
【００１６】
デジタルテレビジョン１１は、合成処理部１７から出力したデジタルの映像信号を、画像処理部２０に供給する。画像処理部２０は、制御部２３の制御のもと、入力されたデジタルの映像信号を、後段の、例えば液晶表示パネル等を有する平面型の表示部２１で表示可能なフォーマットのアナログ映像信号に変換している。デジタルテレビジョン１１は、画像処理部２０から出力されたアナログ映像信号を、表示部２１に供給して映像表示に供する。
【００１７】
音声処理部１８は、入力されたデジタルの音声信号を、後段のスピーカ２２で再生可能なフォーマットのアナログ音声信号に変換している。そして、この音声処理部１８から出力されたアナログ音声信号が、スピーカ２２に供給されることにより音声再生に供される。
【００１８】
ここで、デジタルテレビジョン１１は、上記した各種の受信動作を含むその全ての動作を制御部２３によって統括的に制御している。この制御部２３は、ＣＰＵ（central  processing  unit）２３ａを内蔵しており、デジタルテレビジョン１１の本体に設置された操作部２４からの操作情報を受けて、または、リモートコントローラ２５から送出され受信部２６で受信した操作情報を受けて、その操作内容が反映されるように各部をそれぞれ制御している。
【００１９】
制御部２３は、メモリ部２３ｂを利用している。メモリ部２３ｂは、主として、ＣＰＵ２３ａが実行するプログラム１１１を格納したＲＯＭ（Read  Only  Memory）と、該ＣＰＵ２３ａに作業エリアを提供するためのＲＡＭ（Random  Access  Memory）と、視聴者情報１１２、眼球特性情報１１３等の各種の設定情報及び制御情報等が格納される不揮発性メモリとを有している。ＣＰＵ２３ａは、プログラム１１１をＲＡＭの作業エリアに展開して順次実行することで、視聴者認証部１０１、眼球特性取得部１０２、視聴距離取得部１０３、補償画像生成部１０４としての機能を提供する（詳細は後述する）。
【００２０】
視聴者情報１１２は、デジタルテレビジョン１１を利用する視聴者を予め登録した情報である。より具体的には、視聴者情報１１２は、視聴者を識別する視聴者ＩＤごとに、カメラ６０で撮像した視聴者の顔画像、視聴者の設定情報などを記録するデータファイルである。
【００２１】
眼球特性情報１１３は、視聴者情報１１２に登録された視聴者ごとに、その視聴者の眼球における見え方を示す眼球特性を記録する。より具体的には、眼球特性情報１１３は、視聴者情報１１２における視聴者ＩＤごとに、その視聴者ＩＤが設定された視聴者の眼球特性を記録するデータファイルである。
【００２２】
ここで、眼球特性情報１１３が記録する視聴者の眼球特性は、視聴者の眼球を介した画像の見え方、すなわち視聴者が視覚するボケ具合を数値化したものである。より具体的には、視聴者の視距離（視覚対象物との距離であり、視聴距離に相当）ごとの、視聴者の眼球による空間周波数特性であり、眼球における光学伝達関数に相当する。例えば、標準の視力の視聴者の眼球特性と、近視の視聴者との眼球特性を比較した場合、近距離では略同じボケ具合を示すのに対し、遠距離では近視の視聴者の眼球特性は強いボケ具合を示すこととなる。
【００２３】
また、制御部２３には、ディスクドライブ部２７が接続されている。ディスクドライブ部２７は、例えばＤＶＤ（Digital  Versatile  Disk）等の光ディスク２８を着脱自在とするもので、装着された光ディスク２８に対してデジタルデータの記録再生を行なう機能を有している。
【００２４】
制御部２３は、視聴者による操作部２４やリモートコントローラ２５の操作に基づいて、復調復号部１５から得られるデジタルの映像信号及び音声信号を、記録再生処理部２９によって暗号化し所定の記録フォーマットに変換した後、ディスクドライブ部２７に供給して光ディスク２８に記録させるように制御することができる。
【００２５】
また、制御部２３は、視聴者による操作部２４やリモートコントローラ２５の操作に基づいて、ディスクドライブ部２７により光ディスク２８からデジタルの映像信号及び音声信号を読み出させ、上記記録再生処理部２９によって復号化した後、信号処理部１６に供給することによって、以後、上記した映像表示及び音声再生に供させるように制御することができる。
【００２６】
制御部２３には、ＨＤＤ（Hard  Disk  Drive）３０が接続されている。制御部２３は、視聴者による操作部２４やリモートコントローラ２５の操作に基づいて、復調復号部１５から得られるデジタルの映像信号及び音声信号を、記録再生処理部２９によって暗号化し所定の記録フォーマットに変換した後、ＨＤＤ３０に供給してハードディスク３０ａに記録させるように制御することができる。
【００２７】
また、制御部２３は、視聴者による操作部２４やリモートコントローラ２５の操作に基づいて、ＨＤＤ３０によりハードディスク３０ａからデジタルの映像信号及び音声信号を読み出させ、記録再生処理部２９によって復号化した後、信号処理部１６に供給することによって、以後、上記した映像表示及び音声再生に供させるように制御することができる。
【００２８】
さらに、デジタルテレビジョン１１には、入力端子３１が接続されている。入力端子３１は、デジタルテレビジョン１１の外部からデジタルの映像信号及び音声信号を直接入力するためのものである。この入力端子３１を介して入力されたデジタルの映像信号及び音声信号は、制御部２３の制御に基づいて、記録再生処理部２９を介した後、信号処理部１６に供給されて、以後、上記した映像表示及び音声再生に供される。
【００２９】
また、入力端子３１を介して入力されたデジタルの映像信号及び音声信号は、制御部２３の制御に基づいて、記録再生処理部２９を介した後、ディスクドライブ部２７による光ディスク２８に対しての記録再生や、ＨＤＤ３０によるハードディスク３０ａに対しての記録再生に供される。
【００３０】
なお、制御部２３は、視聴者による操作部２４やリモートコントローラ２５の操作に基づいて、ディスクドライブ部２７とＨＤＤ３０との間で、光ディスク２８に記録されているデジタルの映像信号及び音声信号をハードディスク３０ａに記録したり、ハードディスク３０ａに記録されているデジタルの映像信号及び音声信号を光ディスク２８に記録したりすることも制御している。
【００３１】
また、制御部２３には、ネットワークインターフェース３２が接続されている。このネットワークインターフェース３２は、入出力端子３３を介して外部のネットワーク３４に接続されている。そして、このネットワーク３４には、当該ネットワーク３４を介した通信機能を利用して各種のサービスを提供するための複数（図示の場合は２つ）のネットワークサーバ３５、３６が接続されている。このため、制御部２３は、ネットワークインターフェース３２、入出力端子３３及びネットワーク３４を介して、所望のネットワークサーバ３５、３６にアクセスして情報通信を行なうことにより、そこで提供しているサービスを利用することができるようになっている。
【００３２】
ここで、リモートコントローラ２５の詳細について説明する。図３は、リモートコントローラ２５の外観を示す平面図である。図３に示すように、リモートコントローラ２５には、主として、電源キー２５ａ、２次元／３次元変換キー２５ｂ、数字キー２５ｃ、チャンネルアップダウンキー２５ｄ、音量調整キー２５ｅ、カーソル上キー２５ｆ、カーソル下キー２５ｇ、カーソル左キー２５ｈ、カーソル右キー２５ｉ、決定キー２５ｊ、メニューキー２５ｋ、戻るキー２５ｌ、終了キー２５ｍ、４色（青，赤，緑，黄）のカラーキー２５ｎ等が設けられている。
【００３３】
また、リモートコントローラ２５には、再生停止キー２５ｏ、再生／一時停止キー２５ｐ、逆方向スキップキー２５ｑ、順方向スキップキー２５ｒ、早戻しキー２５ｓ、早送りキー２５ｔ等が設けられている。
【００３４】
すなわち、デジタルテレビジョン１１は、ディスクドライブ部２７やＨＤＤ３０から取得した映像や音声等の情報に対しては、リモートコントローラ２５の再生停止キー２５ｏや再生／一時停止キー２５ｐを操作することにより、再生、停止、一時停止を行なうことが可能となる。また、デジタルテレビジョン１１は、リモートコントローラ２５の逆方向スキップキー２５ｑや順方向スキップキー２５ｒを操作することにより、ディスクドライブ部２７やＨＤＤ３０で再生している映像や音声等の情報を、その再生方向に対して逆方向や順方向に一定量ずつスキップさせる、いわゆる、逆方向スキップや順方向スキップを行なうことができる。また、デジタルテレビジョン１１は、リモートコントローラ２５の早戻しキー２５ｓや早送りキー２５ｔ等を操作することにより、ディスクドライブ部２７やＨＤＤ３０で再生している映像や音声等の情報を、その再生方向に対して逆方向や順方向に連続的に高速で再生させる、いわゆる、早戻し再生や早送り再生を行なうことができる。また、デジタルテレビジョン１１は、リモートコントローラ２５のカーソル上キー２５ｆ、カーソル下キー２５ｇ、カーソル左キー２５ｈ、カーソル右キー２５ｉ、決定キー２５ｊ等を操作することで、例えば視聴者が眼球特性を検査する際の視聴者からの指示を受け付ける。
【００３５】
図２に戻り、ＣＰＵ２３ａが実現する視聴者認証部１０１、眼球特性取得部１０２、視聴距離取得部１０３、補償画像生成部１０４の詳細を説明する。
【００３６】
視聴者認証部１０１は、デジタルテレビジョン１１を利用する視聴者を認証する。具体的には、視聴者認証部１０１は、操作部２４やリモートコントローラ２５等の操作によって入力された視聴者ＩＤや、カメラ６０で撮像された視聴者の顔画像をもとに、視聴者情報１１２に記録されている情報とマッチする視聴者を、デジタルテレビジョン１１を利用する視聴者として認証する。このように、カメラ６０で撮像された視聴者の顔画像と視聴者情報１１２に記録された顔画像との比較による顔認証を行うことで、視聴者ＩＤの入力を行う場合と比較して、視聴者の認証を簡易に行なうことができる。
【００３７】
眼球特性取得部１０２は、視聴者認証部１０１により認証された視聴者の眼球特性を、視聴者ごとに、その視聴者の眼球における見え方を示す眼球特性を記録した眼球特性情報１１３から取得する。また、眼球特性取得部１０２は、視聴距離ごとに、その視聴距離における視聴者の眼球による空間周波数特性を計測するための画像を表示部２１に表示させ、その画像の表示に応じて視聴者からリモートコントローラ２５を介して受け付けられた操作をもとに、視聴者の眼球特性を取得してもよい。
【００３８】
図４は、視聴者の眼球特性の検査にかかるデジタルテレビジョン１１の動作の一例を示すフローチャートである。図４に示すように、眼球特性取得部１０２は、視聴者認証部１０１により視聴者の認証が行われた後（Ｓ１）、視聴者を検査に必要な視聴距離に向かわせるため、検査を行う視聴距離を表示部２１に表示させて、検査のための視聴距離を案内する（Ｓ２）。
【００３９】
次いで、眼球特性取得部１０２は、眼球特性を検査するためのチャート画像を表示部２１に表示させ（Ｓ３）、リモートコントローラ２５による視聴者からの操作を受け付ける（Ｓ４）。より具体的には、Ｓ３において一定間隔で所定の輝度値の縦縞及び横縞のチャート画像を表示部２１に表示させ、Ｓ４においてそのチャート画像が見えるか否かの操作をリモートコントローラ２５より受け付ける。
【００４０】
図５は、視聴者の眼球特性の検査を例示する概念図である。図５に示すように、表示部２１にチャート画像Ｇ１（図示例では縦縞）を表示させ、表示部２１より視聴距離ｄ離れた視聴者Ｈより「見える」又は「見えない」の操作を受け付ける。
【００４１】
眼球特性取得部１０２は、この縦縞及び横縞のチャート画像の間隔及び輝度値を順次変更してＳ３、Ｓ４を繰り返して行い、視聴者が見えなくなる間隔及び輝度値の縦縞及び横縞のチャート画像を特定する。すなわち、眼球特性取得部１０２は、視聴者の眼球による２次元の空間周波数特性である、視聴者の眼球特性を取得する（Ｓ５）。
【００４２】
眼球特性取得部１０２は、上述したＳ２〜Ｓ５の処理を、検査を行う視聴距離ごと（例えば１．５ｍ、２ｍ、３ｍ、５ｍ）に行い、視聴距離ごとに取得した眼球特性を、認証された視聴者の視聴者ＩＤを付して眼球特性情報１１３に記録する（Ｓ６）。
【００４３】
図２に戻り、視聴距離取得部１０３は、視聴者認証部１０１により認証された視聴者と、表示部２１との間の視聴距離を取得する。より具体的には、視聴距離取得部１０３は、リモートコントローラ２５を介した視聴者による視聴距離の入力操作や、カメラ６０で撮像された視聴者の像をもとに視聴距離を算出して、視聴距離を取得する。ここで、カメラ６０で撮像された視聴者の像による視聴距離の算出は、撮像された画像に占める視聴者の像の割合や、予め長さが定められたリモートコントローラ２５などの像と、視聴者の像との比較を元に行う。このように、視聴距離取得部１０３は、カメラ６０で撮像された視聴者の像をもとに視聴距離を取得することで、視聴距離の入力操作などの煩雑な操作を視聴者が行うことなく、簡易に視聴距離を取得できる。
【００４４】
補償画像生成部１０４は、視聴距離取得部１０３により取得された視聴距離と、視聴者認証部１０１により認証された視聴者の眼球特性とをもとに、表示部２１に表示する画像について、認証された視聴者の視聴距離で見た際に、その視聴者の眼球特性によって劣化する分を補償する画像を生成する。具体的には、補償画像生成部１０４は、画像処理部２０において行われる画像処理のフィルタ係数などを制御して、視聴者の眼球特性によって劣化する分を補償する画像を画像処理部２０の画像処理で生成させ、生成させた画像を表示部２１に表示させる。
【００４５】
ここで、視聴者の眼球特性によって劣化する分を補償する画像とは、視聴者の眼球による空間周波数特性をもとに、表示部２１に表示された画像を視聴者が視聴距離で見た際に、その視聴者が視覚する画像を逆算し、実際に表示される画像から視聴者が視覚する画像の劣化分を補償するように、空間周波数特性を補った画像である。例えば、認証された視聴者が近視である場合は、標準の視力の視聴者でボケが生じない視聴距離であったとしてもボケて見えることがある。このボケて見える視聴距離にいる場合は、視聴者の眼球による空間周波数特性に従って、近視の視聴者向けに高周波帯域を強く強調した画像を生成する。ただし、視聴距離が短い場合は、近視の視聴者でもボケは生じないことから、視聴者の眼球による空間周波数特性に従って、高周波帯域を強調することを弱める、又は強調しない画像を生成する。
【００４６】
ここで、具体的な逆算方法について説明する。次の式（１）は、視聴者の網膜に結像されるボケた画像（ｉｂｌｕｒｒｅ）と、表示部２１に表示された画像（ｉｄｉｓｐｌａｙ）との関係を示す。
【００４７】
【数１】
2013104937.tif 000003
【００４８】
視聴者の眼球特性が視聴者の眼球による空間周波数特性であり、眼球における光学伝達関数に相当することから、式（１）に示すように、視聴者が視覚する画像であり、視聴者の網膜に結像される画像（ｉｂｌｕｒｒｅ）は、表示部２１に表示された画像（ｉｄｉｓｐｌａｙ）とインパルス応答（空間周波数特性（ａ））の重ね合わせで表現できる。
【００４９】
このことは、次の式（２）に示すとおり、フーリエ空間では積の関係となる。
【００５０】
【数２】
2013104937.tif 000004
【００５１】
したがって、次の式（３）に示すように逆算することで、実際に表示される画像から視聴者が視覚する画像の劣化分を補償する画像（ｉｃｏｍｐｅｎｓａｔｉｏｎ）を算出できる。
【００５２】
【数３】
2013104937.tif 000005
【００５３】
図６は、表示部２１への表示にかかるデジタルテレビジョン１１の動作の一例を示すフローチャートである。図６に示すように、眼球特性取得部１０２は、視聴者認証部１０１により視聴者の認証が行われた後（Ｓ１１）、認証された視聴者の眼球特性を眼球特性情報１１３より読み出して取得する（Ｓ１２）。
【００５４】
次いで、視聴距離取得部１０３は、表示部２１のディスプレイから視聴者までの視聴距離を取得する（Ｓ１３）。次いで、補償画像生成部１０４は、取得した視聴距離に対応した眼球特性を算出する（Ｓ１４）。具体的には、補償画像生成部１０４は、認証された視聴者における視聴距離ごと（例えば１．５ｍ、２ｍ、３ｍ、５ｍ等）の眼球特性について、取得した視聴距離に該当する眼球特性の値を線形近似などで算出する。
【００５５】
次いで、補償画像生成部１０４は、算出された眼球特性をもとに上述した逆算式に当て嵌めることで、ボケを補償する画像を画像処理部２０に生成させる（Ｓ１５）。次いで、デジタルテレビジョン１１は、画像処理部２０で生成した画像の表示部２１への表示を行わせる（Ｓ１６）。
【００５６】
図７は、視聴者Ｈの見え方を例示する概念図である。図７に示す元画像Ｇ１０は、画像処理部２０に入力される画像であり、チューナ部１４で受信した画像、光ディスク２８より読み出した画像、ネットワークサーバ３５、３６より提供された画像などである。デジタルテレビジョン１１では、この元画像Ｇ１０に対して、上述したボケを補償する画像処理が画像処理部２０で行われる。したがって、表示部２１には、視聴者Ｈが視聴距離ｄで見た際に視聴者Ｈの眼球特性によって劣化する補償した表示画像Ｇ２０が表示されることから、視聴者Ｈは、元画像Ｇ１０に近い視覚画像Ｇ３０を認識できる。すなわち、デジタルテレビジョン１１では、視聴者Ｈにより眼球特性が異なる場合であっても、元画像Ｇ１０と視覚画像Ｇ３０との整合性を保つことができる。
【００５７】
なお、上述した実施形態では、一人の視聴者を認証し、その認証された視聴者の眼球特性に応じて、ボケを補償する画像処理を行う場合を例示した。しかしながら、認証する視聴者は一人に限定するものではない。例えば、視聴者認証部１０１は複数の視聴者を認証してよい。
【００５８】
視聴者認証部１０１により複数の視聴者を認証した場合、補償画像生成部１０４は、各視聴者について、上述した逆算式により得られるボケを補償する画像の効果係数を計算し、すべての視聴者にわたる効果係数が最大となる、全体最適化する画像を視聴者全員のボケを補償する画像として画像処理部２０に生成させる。具体的には、一人の視聴者について、上述した逆算式により得られるボケを補償する画像でのプラス効果を示す数値と、その画像を表示した場合の他の視聴者のマイナス効果を示す数値とを演算して、その視聴者についての効果係数を計算する。次いで、すべての視聴者についての効果係数を演算したところで、もっとも効果係数の大きい画像を全体最適化する画像とする。
【００５９】
なお、本実施形態のデジタルテレビジョン１１で実行されるプログラム１１１は、ＲＯＭ等に予め組み込まれて提供される。本実施形態のデジタルテレビジョン１１で実行されるプログラム１１１は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６０】
さらに、本実施形態のデジタルテレビジョン１１で実行されるプログラム１１１を、インターネット等のネットワークに接続されたコンピュータ上に格納し、ネットワーク経由でダウンロードさせることにより提供するように構成しても良い。また、本実施形態のデジタルテレビジョン１１で実行されるプログラム１１１をインターネット等のネットワーク経由で提供または配布するように構成しても良い。
【００６１】
本実施形態のデジタルテレビジョン１１で実行されるプログラム１１１は、上述した各部（視聴者認証部１０１、眼球特性取得部１０２、視聴距離取得部１０３、補償画像生成部１０４）を含むモジュール構成となっており、実際のハードウェアとしてはＣＰＵ（プロセッサ）２３ａが上記ＲＯＭからプログラム１１１を読み出して実行することにより上記各部が主記憶装置上にロードされ、主記憶装置上に生成されるようになっている。
【００６２】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００６３】
１１…デジタルテレビジョン、１２…アンテナ、１３…入力端子、１４…チューナ部、１５…復調復号部、１６…信号処理部、１７…合成処理部、１８…音声処理部、１９…ＯＳＤ信号生成部、２０…画像処理部、２１…表示部、２２…スピーカ、２３…制御部、２３ａ…ＣＰＵ、２３ｂ…メモリ部、２４…操作部、２５…リモートコントローラ、２６…受信部、２７…ディスクドライブ部、２８…光ディスク、２９…記録再生処理部、３０…ＨＤＤ、３０ａ…ハードディスク、３１…入力端子、３２…ネットワークインターフェース、３３…入出力端子、３４…ネットワーク、３５、３６…ネットワークサーバ、６０…カメラ、１０１…視聴者認証部、１０２…眼球特性取得部、１０３…視聴距離取得部、１０４…補償画像生成部、１１１…プログラム、１１２…視聴者情報、１１３…眼球特性情報、ｄ…視聴距離、Ｇ１…チャート画像、Ｇ１０…元画像、Ｇ２０…表示画像、Ｇ３０…視覚画像、Ｈ…視聴者
【図１】
2013104937.tif 000006
【図２】
2013104937.tif 000007
【図３】
2013104937.tif 000008
【図４】
2013104937.tif 000009
【図５】
2013104937.tif 000010
【図６】
2013104937.tif 000011
【図７】
2013104937.tif 000012
【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
視聴者の眼球における見え方を示す、前記視聴者の眼球による空間周波数特性を得る取得手段と、
前記得た空間周波数特性に基づき、前記視聴者が表示部に表示した画像を見た際に当該視聴者の眼球による空間周波数特性によって劣化する分を補償する画像を生成する画像生成手段と、
前記生成された画像を前記表示部に表示させる表示制御手段と、
を備える表示処理装置。
【請求項２】
前記視聴者と、前記表示部との間の視聴距離を取得する視聴距離取得手段を更に備え、
前記取得手段は、前記視聴距離に応じた前記視聴者の眼球による空間周波数特性を得て、
前記画像生成手段は、前記視聴者が前記視聴距離で前記表示部に表示した画像を見た際に劣化する分を補償する画像を生成する、
請求項１に記載の表示処理装置。
【請求項３】
前記取得手段は、前記視聴者の眼球による空間周波数特性を視聴距離ごとに記録した眼球特性情報をもとに前記視聴距離に応じた空間周波数特性を得て、
前記画像生成手段は、前記取得された視聴距離に対応した前記視聴者の眼球による空間周波数特性をもとに、前記表示部に表示する画像から前記視聴者が視覚する画像を逆算して、前記視聴者の眼球特性によって劣化する分を補償する画像を生成する、
請求項２に記載の表示処理装置。
【請求項４】
前記視聴者からの操作を受け付ける操作手段を更に備え、
前記取得手段は、視聴距離ごとに当該視聴距離における前記視聴者の眼球による空間周波数特性を計測するための画像を前記表示部に表示させ、当該画像の表示に応じて前記視聴者から受け付けられた操作をもとに、前記視聴者の眼球による空間周波数特性を取得する、
請求項２に記載の表示処理装置。
【請求項５】
前記表示部から前記視聴者を撮像するカメラを更に備え、
前記視聴距離取得手段は、前記カメラで撮像された前記視聴者の像をもとに前記視聴距離を取得する、
請求項２乃至３のいずれか一項に記載の表示処理装置。
【請求項６】
前記視聴者を認証する認証手段を更に備え、
前記取得手段は、視聴者ごとに、前記空間周波数特性を記録した前記眼球特性情報から前記認証された視聴者の眼球による空間周波数特性を取得する、
請求項２に記載の表示処理装置。
【請求項７】
前記表示部から前記視聴者を撮像するカメラを更に備え、
前記認証手段は、前記カメラで撮像された前記視聴者の顔画像をもとに、視聴者ごとに、当該視聴者の顔画像を記録した視聴者情報を参照して前記認証を行う、
請求項６に記載の表示処理装置。
【請求項８】
前記画像生成手段は、前記認証手段により複数の視聴者が認証された場合、前記空間周波数特性によって劣化する分を補償する効果係数を、認証されたすべての視聴者にわたって演算した際に最大とする画像を生成する、
請求項６又は７に記載の表示処理装置。
【請求項９】
表示処理装置の表示処理方法であって、
視聴者の眼球における見え方を示す、前記視聴者の眼球による空間周波数特性を得るステップと、
前記得た空間周波数特性に基づき、前記視聴者が表示部に表示した画像を見た際に当該視聴者の眼球による空間周波数特性によって劣化する分を補償する画像を生成する画像生成ステップと、
前記生成された画像を前記表示部に表示させる表示制御ステップと、
を含む表示処理方法。
【手続補正２】
【補正対象書類名】明細書
【補正対象項目名】０００６
【補正方法】変更
【補正の内容】
【０００６】
上述した課題を解決し、目的を達成するために、実施形態の表示処理装置は、視聴者の眼球における見え方を示す、前記視聴者の眼球による空間周波数特性を得る取得手段と、前記得た空間周波数特性に基づき、前記視聴者が表示部に表示した画像を見た際に当該視聴者の眼球による空間周波数特性によって劣化する分を補償する画像を生成する画像生成手段と、前記生成された画像を前記表示部に表示させる表示制御手段と、を備える。
【手続補正３】
【補正対象書類名】明細書
【補正対象項目名】０００７
【補正方法】変更
【補正の内容】
【０００７】
また、実施形態の表示処理方法は、表示処理装置の表示処理方法であって、視聴者の眼球における見え方を示す、前記視聴者の眼球による空間周波数特性を得るステップと、前記得た空間周波数特性に基づき、前記視聴者が表示部に表示した画像を見た際に当該視聴者の眼球による空間周波数特性によって劣化する分を補償する画像を生成する画像生成ステップと、前記生成された画像を前記表示部に表示させる表示制御ステップと、を含む。